(57)【要約】      （修正有）【課題】ポンプのモーターのシャフトに取り付けられ、前記ポンプの水室の漏れが前記モーターに損傷を与えることを防ぐために前記水室を効果的に密封する、ポンプのための密封装置を提供する。【解決手段】回転カラー、固定カラー、取付け用ブラケット及び取付け用カラーのそれぞれは、スリーブの周囲に配置され、該スリーブに取り付けられている。第１のＯリングは前記スリーブと前記回転カラーとの間に配置されている。第２のＯリングは前記取付け用ブラケットと前記固定カラーとの間に配置されている。止めピンは、前記取付け用ブラケットと前記固定カラーとの間に配置され、前記取付け用ブラケットと前記固定カラーとに固定されている。前記第１のＯリング及び前記第２のＯリングは複数の密封機能をもたらす。前記止めピンは前記取付け用ブラケットと前記固定カラーとの間の相対的な回転を防ぐ。【選択図】図４
0003162309.tif 000002
【実用新案登録請求の範囲】
【請求項１】
ポンプのための密封装置であって、
上端部と、下端部と、縦方向に伸び、内面を有するシャフト穴と、上縁部及び該上縁部において開放された環状スロットを有する環状フランジとを有するスリーブと、
前記スリーブの周囲に配置され、該スリーブに回転不能かつ滑動可能に取り付けられた回転カラーであって下端部と、軸方向に伸び、前記スリーブを受け入れ、内面を有する取付け用穴とを有する回転カラーと、
前記スリーブと前記回転カラーとの間に配置された第１のＯリングと、
前記回転カラーの上方における前記スリーブに回転可能に取り付けられ、前記回転カラーに回転可能に接する固定カラーであって上端部と、下端部と、軸方向に伸び、前記スリーブを受け入れるカラー穴とを有する固定カラーと、
前記固定カラーの上方における前記スリーブの周囲に配置され、該スリーブに回転可能に取り付けられた取付け用ブラケットであって前記スリーブを受け入れる貫通穴を有する取付け用ブラケットと、
前記取付け用ブラケットと前記固定カラーとの間に配置された第２のＯリングと、
前記取付け用ブラケットの上方における前記スリーブの周囲に配置され、該スリーブに取り付けられた取付け用カラーであって前記回転カラー、前記固定カラー及び前記取付け用ブラケットが前記スリーブから外れることを防止する取付け用カラーと、
前記固定カラーと前記取付け用ブラケットとの間の相対的な回転を防ぐために前記固定カラーと前記取付け用ブラケットとの間に配置され、前記固定カラーと前記取付け用ブラケットとに固定された止めピンとを含む、密封装置。
【請求項２】
前記取付け用ブラケットは、前記貫通穴が設けられた取付け用ボードと、
前記取付け用ボードに形成され、該取付け用ボードから下方へ突出するシリンダーであって下端部と、該下端部に設けられ、前記固定カラーの一部を収容し、内面を有する凹所とを有するシリンダーとを有する、請求項１に記載の密封装置。
【請求項３】
前記回転カラーは、前記取付け用穴が設けられたディスクと、
前記ディスクに形成され、該ディスクから下方へ突出し、下縁部を有する環状スカートと、
前記回転カラーの前記下端部における前記取付け用穴の前記内面に設けられた組立て用スロットとを有し、
前記第１のＯリングは、前記スリーブに取り付けられ、前記回転カラーの前記組立て用スロットに受け入れられており、
位置合わせカラーが前記スリーブの周囲に配置され、該スリーブに回転不能かつ滑動可能に取り付けられており、前記位置合わせカラーは、軸方向に伸びる、前記スリーブを受け入れる中央穴を有し、
スプリングが前記環状スロットの中に配置されており、前記スプリングは、それぞれ前記環状フランジ及び前記位置合わせカラーを押す一端部及び他端部を有する、請求項２に記載の密封装置。
【請求項４】
前記固定カラーは、径方向外方へ突出する位置決め用フランジを有し、
前記第２のＯリングは、前記固定カラーに取り付けられ、前記取付け用ブラケットの前記凹所に受け入れられ、該凹所の前記内面に水密状態で接している、請求項３に記載の密封装置。
【請求項５】
前記スリーブは、それぞれが前記スリーブの前記上端部を横方向に貫く複数の横穴を有し、
前記取付け用カラーは、軸方向に伸びる、前記スリーブを受け入れる固定用穴と、
それぞれが径方向に伸び、前記スリーブの各横穴に整列された複数のねじ穴と、
それぞれが各ねじ穴に螺合され、該ねじ穴から前記横穴の中へ伸びる複数のボルトとを有する、請求項４に記載の密封装置。
【請求項６】
前記取付け用ブラケットの前記シリンダーは環状の位置決め用溝を有し、
第３のＯリングが前記位置決め用溝に受け入れられ、前記シリンダーに取り付けられている、請求項５に記載の密封装置。
【請求項７】
前記スリーブの前記環状フランジは、それぞれが前記環状フランジの前記上縁部に設けられた複数の位置合わせ用ノッチを有し、
前記回転カラーは、それぞれが前記環状スカートの前記下端部に設けられた複数の位置決め用ノッチを有し、
前記位置合わせ用カラーは、それぞれが径方向外方へ突出し、前記スリーブの各位置合わせ用ノッチの中に滑動可能に配置され、前記回転カラーの各位置決め用ノッチに受け入れられた複数の位置決め用突起を有する、請求項６に記載の密封装置。
【請求項８】
ワッシャーが前記取付け用カラーと前記取付け用ブラケットとの間における前記スリーブの周囲に配置され、該スリーブに取り付けられている、請求項７に記載の密封装置。
【請求項９】
前記スリーブは、該スリーブの前記下端部における前記シャフト穴の前記内面に設けられた取付け用スロットと、
前記取付け用スロットの中に配置され、該取付け用スロットに取り付けられた漏れ防止Ｏリングとを有する、請求項７に記載の密封装置。
【請求項１０】
前記固定カラーは、該固定カラーの前記上端部に設けられた固定用ノッチを有し、
前記取付け用ブラケットの前記取付け用ボードは、下面と、該下面に設けられたピン穴とを有し、
前記止めピンは、それぞれ前記固定カラーの前記固定用ノッチ及び前記取付け用ブラケットの前記ピン穴に受け入れられた一端部及び他端部を有する、請求項７に記載の密封装置。
【考案の詳細な説明】
【技術分野】
【０００１】
本考案は、ポンプのモーターのシャフトに取り付けられ、前記ポンプの水室の漏れが前記モーターに損傷を与えることを防止するために前記水室を効果的に密封する、ポンプのための密封装置に関する。
【背景技術】
【０００２】
ポンプは、一般に、機械装置であり、低い場所から高い場所への水や空気のような流体の輸送のため、前記流体をくみ上げるために使用される。
【０００３】
従来のポンプは、ハウジングと、モーターと、密封材とを有する。
【０００４】
前記ハウジングは、カップリング室と、水室と、入口と、出口とを有する。前記カップリング室及び前記水室のそれぞれは前記ハウジングの内部に設けられており、前記カップリング室と前記水室との間に隔壁が設けられている。前記隔壁は、前記カップリング室と前記水室とに連通するシャフト穴を有する。前記入口及び前記出口のそれぞれは前記水室に連通している。前記モーターは、カップリングと、シャフトと、複数のタービン翼とを有する。前記カップリングは、回転可能であり、前記カップリング室の中に配置されている。前記シャフトは、前記カップリングに接続され、前記シャフト穴を経て前記水室の中へ伸びている。各タービン翼は、前記シャフトに取り付けられ、前記水室の中に配置されている。前記密封材は、前記シャフト穴の中に配置され、前記シャフトを支持し、前記水室の中の水が漏れることを阻止するために前記水室を密封する。
【０００５】
前記密封材は、ベアリングとして機能し、前記密封材が前記水室を効果的に密封できないように組み立てられた複数の部品を有し、隣接する２つの部品の間に漏れが生じやすい。
【考案の概要】
【考案が解決しようとする課題】
【０００６】
本考案は、上記の問題点を改善する、ポンプのための密封装置を提供する。
【０００７】
本考案の目的は、ポンプのモーターのシャフトに取り付けられ、前記ポンプの水室の漏れが前記モーターに損傷を与えることを防ぐために前記水室を効果的に密封する、ポンプのための密封装置を提供することである。
【課題を解決するための手段】
【０００８】
本考案に係る、ポンプのための密封装置は、スリーブと、回転カラーと、第１のＯリングと、固定カラーと、取付け用ブラケットと、第２のＯリングと、取付け用カラーと、止めピンとを有する。前記回転カラー、前記固定カラー、前記取付け用ブラケット及び前記取付け用カラーのそれぞれは、前記スリーブの周囲に配置され、該スリーブに取り付けられている。前記第１のＯリングは前記スリーブと前記回転カラーとの間に配置されている。前記第２のＯリングは前記取付け用ブラケットと前記固定カラーとの間に配置されている。前記止めピンは、前記取付け用ブラケットと前記固定カラーとの間に配置され、前記取付け用ブラケットと前記固定カラーとに固定されている。前記第１のＯリング及び前記第２のＯリングは複数の密封機能をもたらす。前記止めピンは前記取付け用ブラケットと前記固定カラーとの間の相対的な回転を防ぐ。
【０００９】
本考案の他の目的、利点及び新規な特徴は、添付の図面に関する以下の詳細な説明からより明らかになる。
【図面の簡単な説明】
【００１０】
【図１】本考案に係る、ポンプのための密封装置の斜視図。
【図２】本考案に係る密封装置の、上方から見た分解斜視図。
【図３】本考案に係る密封装置の、下方から見た分解斜視図。
【図４】本考案に係る密封装置の縦断面図。
【図５】ポンプに取り付けられた密封装置の縦断面図。
【考案を実施するための形態】
【００１１】
図１ないし３、５に示すように、ポンプに密封装置が取り付けられている。前記ポンプは、ハウジング９０と、シャフト９５と、カップリング９６とを有する。ハウジング９０は、水室９１と、カップリング室９２と、隔壁と、シャフト穴９３とを有する。前記隔壁は水室９１とカップリング室９２との間に設けられている。シャフト穴９３は、前記隔壁を貫き、水室９１とカップリング室９２とに連通している。シャフト９５は、回転可能であり、シャフト穴９３を経て水室９１の中へ伸びている。シャフト９５は接続用端部を有する。カップリング９６は、シャフト９５の前記接続用端部に取り付けられており、モーターに接続される。
【００１２】
図４に示すように、前記密封装置は、スリーブ１０と、回転カラー４０と、位置合わせカラー３０と、スプリング２０と、第１のＯリング４５と、固定カラー５０と、取付け用ブラケット６０と、第２のＯリング６５と、第３のＯリング６６と、取付け用カラー７０と、止めピン８０とを有する。
【００１３】
スリーブ１０は、上端部と、下端部と、シャフト穴１１と、環状フランジ１２と、複数の横穴１３と、取付け用スロット１５と、漏れ防止Ｏリング１６とを有する。
【００１４】
スリーブ１０の前記上端部は、図４に示したように、スリーブ１０の周囲に配置され、該スリーブに取り付けられた他の部品を固定するために外方へ湾曲している。
【００１５】
シャフト穴１１は、縦方向に伸び、シャフト９５を受け入れている。シャフト穴１１は内面を有する。
【００１６】
環状フランジ１２は、上縁部と、環状スロット１２０と、複数の位置合わせノッチ１２１とを有する。環状スロット１２０は前記上縁部において開放されている。各位置合わせノッチ１２１は前記上縁部に設けられている。
【００１７】
各横穴１３はスリーブ１０の前記上端部を横方向に貫いている。
【００１８】
取付け用スロット１５はスリーブ１０の前記下端部におけるシャフト穴１１の前記内面に設けられている。
【００１９】
漏れ防止Ｏリング１６は、弾性を有し、取付け用スロット１５の中に配置され、該取付け用スロットに取り付けられている。漏れ防止Ｏリング１６は、水室９１の中の水が漏れることを阻止するためにシャフト９５に水密状態で接する。
【００２０】
回転カラー４０は、スリーブ１０の周囲に配置され、該スリーブに回転不能かつ滑動可能に取り付けられている。回転カラー４０は、下端部と、取付け用穴４１と、ディスク４２と、環状スカート４３と、組立て用スロット４３０と、複数の位置決め用ノッチ４３１とを有する。
【００２１】
取付け用穴４１は、軸方向に伸び、スリーブ１０を受け入れている。取付け用穴４１は内面を有する。
【００２２】
取付け用穴４１はディスク４２に設けられている。
【００２３】
環状スカート４３は、ディスク４２に形成され、該ディスクから下方へ突出している。環状スカート４３は下縁部を有する。組立て用スロット４３０は回転カラー４０の前記下端部における取付け用穴４１の前記内面に設けられている。
【００２４】
各位置決め用ノッチ４３１は環状スカート４３の前記下縁部に設けられている。
【００２５】
位置合わせカラー３０は、スリーブ１０の周囲に配置され、該スリーブに回転不能かつ滑動可能に取り付けられている。位置合わせカラー３０は、中央穴３１と、複数の位置決め用突起３２とを有する。
【００２６】
中央穴３１は、軸方向に伸び、スリーブ１０を受け入れている。
【００２７】
各位置決め用突起３２は、径方向に外方へ突出し、スリーブ１０の位置合わせノッチ１２１の中に滑動可能に配置され、回転カラー４０の位置決め用ノッチ４３１に受け入れられている。このため、シャフト９５、スリーブ１０及び回転カラー４０は前記ポンプのハウジング９０に対して同時に回転する。
【００２８】
スプリング２０は環状スロット１２０の中に配置されている。スプリング２０は、それぞれ環状フランジ１２及び位置合わせカラー３０を押す一端部及び他端部を有する。
【００２９】
第１のＯリング４５は、弾性を有し、スリーブ１０と回転カラー４０との間に配置され、スリーブ１０と回転カラー４０との間を水密状態にする。第１のＯリング４５は、スリーブ１０に取り付けられ、回転カラー４０の組立て用スロット４３０に受け入れられている。
【００３０】
固定カラー５０は、回転カラー４０の上方におけるスリーブ１０に回転可能に取り付けられ、回転カラー４０に回転可能に接している。固定カラー５０は、上端部と、下端部と、カラー穴５１と、位置決め用フランジ５２と、固定用ノッチ５１１とを有する。
【００３１】
カラー穴５１は、軸方向に伸び、スリーブ１０を受け入れている。
【００３２】
位置決め用フランジ５２は径方向に外方へ突出している。
【００３３】
固定用ノッチ５１１は固定カラー５０の前記上端部に設けられている。
【００３４】
取付け用ブラケット６０は、固定カラー５０の上方におけるスリーブ１０の周囲に配置され、該スリーブに回転可能に取り付けられている。取付け用ブラケット６０は、貫通穴６１と、取付け用ボード６２と、シリンダー６３とを有する。
【００３５】
貫通穴６１はスリーブ１０を受け入れている。
【００３６】
貫通穴６１は取付け用ボード６２に設けられ、該取付け用ボードは前記ポンプのハウジング９０に固定されている。取付け用ボード６２は、下面と、ピン穴６２２とを有する。ピン穴６２２は前記下面に設けられている。
【００３７】
シリンダー６３は、取付け用ボード６２に形成され、該取付け用ボードから下方へ突出している。シリンダー６３は、下端部と、凹所６３１と、環状の位置決め用溝６４とを有する。凹所６３１は、前記下端部に設けられ、固定カラー５０の一部を収容している。凹所６３１は内面を有する。位置決め用溝６４はシリンダー６３に設けられている。
【００３８】
第２のＯリング６５は、弾性を有し、取付け用ブラケット６０と固定カラー５０との間に配置され、該固定カラーに取り付けられている。第２のＯリング６５は、取付け用ブラケット６０の凹所６３１に受け入れられ、取付け用ブラケット６０に水密状態で接している。
【００３９】
第３のＯリング６６は、弾性を有し、取付け用ブラケット６０のシリンダー６３の周囲に配置され、該シリンダーに取り付けられている。第３のＯリング６６は、位置決め用溝６４に受け入れられており、ハウジング９０のシャフト穴９３の内面に水密状態で接する。
【００４０】
取付け用カラー７０は、取付け用ブラケット６０の上方におけるスリーブ１０の周囲に配置され、該スリーブに取外し可能に取り付けられている。取付け用カラー７０は、回転カラー４０、固定カラー５０及び取付け用ブラケット６０がスリーブ１０から外れることを阻止する。取付け用カラー７０は、固定用穴７１と、複数のねじ穴７３と、複数のボルト７４と、ワッシャー７５とを有する。
【００４１】
固定用穴７１は、軸方向に伸び、スリーブ１０を受け入れている。
【００４２】
各ねじ穴７３は、径方向に伸び、スリーブ１０の横穴１３に整列されている。
【００４３】
各ボルト７４は、ねじ穴７３に螺合され、取付け用カラー７０をスリーブ１０に取り付けるためにねじ穴７３から横穴１３の中へ伸びている。
【００４４】
ワッシャー７５は、金属又はゴムからなり、取付け用カラー７０と取付け用ブラケット６０との擦れを防止するために取付け用カラー７０と取付け用ブラケット６０との間におけるスリーブ１０の周囲に配置され、該スリーブに取り付けられている。
【００４５】
止めピン８０は、固定カラー５０と取付け用ブラケット６０との間の相対的な回転を防ぐため、固定カラー５０と取付け用ブラケット６０との間に配置され、固定カラー５０と取付け用ブラケット６０とに固定されている。止めピン８０は２つの端部を有する。止めピン８０の一端部及び他端部はそれぞれ固定カラー５０の固定用ノッチ５１１及び取付け用ブラケット６０のピン穴６２２に受け入れられている。
【００４６】
第１のＯリング４５、第２のＯリング６５、第３のＯリング６６及び漏れ防止Ｏリング１６は、水室９１の中の水が前記密封装置を経て漏れることを効果的に防ぐ複数の密封機能をもたらす。止めピン８０は、固定カラー５０及び取付け用ブラケット６０を前記ポンプのハウジング９０に対して回転しない状態にし、スリーブ１０及び回転カラー４０の回転を安定させる。
【符号の説明】
【００４７】
１０    スリーブ
１１    シャフト穴
１２    環状フランジ
４０    回転カラー
４１    取付け用穴
４５    第１のＯリング
５０    固定カラー
５１    カラー穴
６０    取付け用ブラケット
６１    貫通穴
６５    第２のＯリング
７０    取付け用カラー
８０    止めピン
１２０    環状スロット
【図１】
0003162309.tif 000003
【図２】
0003162309.tif 000004
【図３】
0003162309.tif 000005
【図４】
0003162309.tif 000006
【図５】
0003162309.tif 000007